(57)【特許請求の範囲】
【請求項１】
パネル部と、
画像を読み取るスキャナー部と、
蛍光情報を発光させるＵＶライトと、
セキュリティーコードを管理する認証管理部と、
前記スキャナー部が可視光を照射することにより読み取った画像に対しての画像処理と前記画像に含まれる蛍光情報の検出とを行う画像処理部と、
前記画像処理部が前記蛍光情報を検出した場合、前記パネル部に対して前記セキュリティーコードの入力を促す内容を表示させ、前記認証管理部が前記パネル部を介して入力された前記セキュリティーコードと管理している前記セキュリティーコードとの一致を確認した場合に限り、前記スキャナー部の読み取り動作に伴う処理を実行させるシステム制御部と、
印刷を行うプリンター部とを備え、
前記スキャナー部の読み取り動作に伴う処理を行うとき、前記画像処理部は、前記スキャナー部が前記可視光を照射することにより読み取った画像に蛍光情報を合成し、
前記プリンター部は、合成された画像を印刷する
ことを特徴とする画像形成装置。
【請求項２】
パネル部と、
画像を読み取るスキャナー部と、
認証情報を含む蛍光情報を発光させるＵＶライトと、
ログイン時に必要な前記認証情報を管理する認証管理部と、
前記スキャナー部が可視光を照射することにより読み取った画像に対しての画像処理と前記画像に含まれる蛍光情報の検出とを行う画像処理部と、
光情報の検出とを行う画像処理部と、
前記認証管理部が、前記検出した前記蛍光情報に含まれる認証情報と管理している前記認証情報との一致を確認した場合に限り、前記スキャナー部の読み取り動作に伴う処理を実行させるシステム制御部と、
印刷を行うプリンター部とを備え、
前記画像処理部が前記蛍光情報に認証情報が含まれていると判断した場合、
前記スキャナー部の読み取り動作に伴う処理を行うとき、前記画像処理部は、前記スキャナー部が読み取った画像に特定のウォーターマークを合成し、
前記プリンター部は、合成された画像を印刷し、
前記画像処理部が前記蛍光情報に認証情報が含まれていないと判断した場合、
前記スキャナー部の読み取り動作に伴う処理を行うとき、前記画像処理部は、前記スキャナー部が前記可視光を照射することにより読み取った画像に蛍光情報を合成し、
前記プリンター部は、合成された画像を印刷する
ことを特徴とする画像形成装置。
【請求項３】
スキャナー部により、画像を読み取る工程と、
ＵＶライトにより、蛍光情報を発光させる工程と、
認証管理部により、セキュリティーコードを管理する工程と、
画像処理部により、前記スキャナー部が可視光を照射することにより読み取った画像に対しての画像処理と前記画像に含まれる蛍光情報の検出とを行う工程と、
システム制御部により、前記画像処理部が前記蛍光情報を検出した場合、パネル部に対して前記セキュリティーコードの入力を促す内容を表示させ、前記認証管理部が前記パネル部を介して入力された前記セキュリティーコードと管理している前記セキュリティーコードとの一致を確認した場合に限り、前記スキャナー部の読み取り動作に伴う処理を実行させる工程と、
プリンター部により、印刷を行う工程とを画像形成装置を制御するコンピューターに実行させ、
前記スキャナー部の読み取り動作に伴う処理を行うとき、前記画像処理部は、前記スキャナー部が前記可視光を照射することにより読み取った画像に蛍光情報を合成し、
前記プリンター部は、合成された画像を印刷する
ことを特徴とする画像形成プログラム。
【請求項４】
スキャナー部により、画像を読み取る工程と、
ＵＶライトにより、認証情報を含む蛍光情報を発光させる工程と、
認証管理部により、ログイン時に必要な前記認証情報を管理する工程と、
画像処理部により、前記スキャナー部が可視光を照射することにより読み取った画像に対しての画像処理と前記画像に含まれる蛍光情報の検出とを行う工程と、
システム制御部により、前記認証管理部が、前記検出した前記蛍光情報に含まれる認証情報と管理している前記認証情報との一致を確認した場合に限り、前記スキャナー部の読み取り動作に伴う処理を実行させる工程と、
プリンター部により、印刷を行う工程とを画像形成装置を制御するコンピューターに実行させ、
前記画像処理部が前記蛍光情報に認証情報が含まれていると判断した場合、
前記スキャナー部の読み取り動作に伴う処理を行うとき、前記画像処理部は、前記スキャナー部が読み取った画像に特定のウォーターマークを合成し、
前記プリンター部は、合成された画像を印刷し、
前記画像処理部が前記蛍光情報に認証情報が含まれていないと判断した場合、
前記スキャナー部の読み取り動作に伴う処理を行うとき、前記画像処理部は、前記スキャナー部が前記可視光を照射することにより読み取った画像に蛍光情報を合成し、
前記プリンター部は、合成された画像を印刷する
ことを特徴とする画像形成プログラム。
【発明の詳細な説明】
【技術分野】
【０００１】
本発明は、画像の読み取りやコピーでの機密保持に適した画像形成装置及び画像形成プログラムに関する。
【背景技術】
【０００２】
従来、たとえば印刷物の取り扱い注意などを促す場合、印刷物にロゴタイプのマークや取り扱い注意の文字などによる可視的なウォーターマークが付されている場合がある。可視的なウォーターマークは、一般的に、印刷物の画像の判別に邪魔にならない程度に薄く印刷されている場合が多い。
【０００３】
ところで、印刷物に可視的なウォーターマークが付されていても、印刷物のコピーなどは可能である。このため、機密性の高い印刷物に対しては、情報漏洩のセキュリティーの観点から、コピーなどに制約を持たせる必要がある。
【０００４】
この場合、特許文献１に示されている蛍光インクを利用した技術を適用することが考えられる。すなわち、特許文献１では、照明ランプの通常光と、近紫外線光照明ランプからの近紫外線光とにより、原稿読取領域を指定する蛍光体マーキングの情報を含む原稿情報を読み取ることで、原稿読取領域を指定するマーキングの誤検出を低減する画像認識装置を提案している。
【０００５】
ここで、蛍光体マーキングの情報を読み取った場合、印刷物のコピーなどが行われないように制約すれば、機密性の高い印刷物に対しての情報漏洩のセキュリティーが高められるものと考えられる。
【先行技術文献】
【特許文献】
【０００６】
【特許文献１】特開２００９−０２１９７９号公報
【発明の概要】
【発明が解決しようとする課題】
【０００７】
上述したように、特許文献１での蛍光インクを利用した技術を適用すると、機密性の高い印刷物に対しての情報漏洩のセキュリティーが高められるものと考えられる。
【０００８】
ところが、蛍光体マーキングの情報を読み取った場合、印刷物のコピーなどが行われないように制約してしまうと、機密性の高い印刷物の取り扱いの権限を有しているユーザーであっても、印刷物のコピーなどができなくなってしまうという問題がある。
【０００９】
本発明は、このような状況に鑑みてなされたものであり、上記問題点を解消することができる画像形成装置及び画像形成プログラムを提供することを目的とする。
【課題を解決するための手段】
【００１０】
本発明の画像形成装置は、パネル部と、画像を読み取るスキャナー部と、蛍光情報を発光させるＵＶライトと、セキュリティーコードを管理する認証管理部と、
前記スキャナー部が可視光を照射することにより読み取った画像に対しての画像処理と前記画像に含まれる蛍光情報の検出とを行う画像処理部と、前記画像処理部が前記蛍光情報を検出した場合、前記パネル部に対して前記セキュリティーコードの入力を促す内容を表示させ、前記認証管理部が前記パネル部を介して入力された前記セキュリティーコードと管理している前記セキュリティーコードとの一致を確認した場合に限り、前記スキャナー部の読み取り動作に伴う処理を実行させるシステム制御部と、印刷を行うプリンター部とを備え、前記スキャナー部の読み取り動作に伴う処理を行うとき、前記画像処理部は、前記スキャナー部が前記可視光を照射することにより読み取った画像に蛍光情報を合成し、前記プリンター部は、合成された画像を印刷することを特徴とする。
本発明の画像形成装置は、パネル部と、画像を読み取るスキャナー部と、認証情報を含む蛍光情報を発光させるＵＶライトと、ログイン時に必要な前記認証情報を管理する認証管理部と、前記スキャナー部が可視光を照射することにより読み取った画像に対しての画像処理と前記画像に含まれる蛍光情報の検出とを行う画像処理部と、光情報の検出とを行う画像処理部と、前記認証管理部が、前記検出した前記蛍光情報に含まれる認証情報と管理している前記認証情報との一致を確認した場合に限り、前記スキャナー部の読み取り動作に伴う処理を実行させるシステム制御部と、印刷を行うプリンター部とを備え、前記画像処理部が前記蛍光情報に認証情報が含まれていると判断した場合、前記スキャナー部の読み取り動作に伴う処理を行うとき、前記画像処理部は、前記スキャナー部が読み取った画像に特定のウォーターマークを合成し、前記プリンター部は、合成された画像を印刷し、前記画像処理部が前記蛍光情報に認証情報が含まれていないと判断した場合、前記スキャナー部の読み取り動作に伴う処理を行うとき、前記画像処理部は、前記スキャナー部が前記可視光を照射することにより読み取った画像に蛍光情報を合成し、前記プリンター部は、合成された画像を印刷することを特徴とする。
本発明の画像形成プログラムは、スキャナー部により、画像を読み取る工程と、ＵＶライトにより、蛍光情報を発光させる工程と、認証管理部により、セキュリティーコードを管理する工程と、画像処理部により、前記スキャナー部が可視光を照射することにより読み取った画像に対しての画像処理と前記画像に含まれる蛍光情報の検出とを行う工程と、システム制御部により、前記画像処理部が前記蛍光情報を検出した場合、パネル部に対して前記セキュリティーコードの入力を促す内容を表示させ、前記認証管理部が前記パネル部を介して入力された前記セキュリティーコードと管理している前記セキュリティーコードとの一致を確認した場合に限り、前記スキャナー部の読み取り動作に伴う処理を実行させる工程と、プリンター部により、印刷を行う工程とを画像形成装置を制御するコンピューターに実行させ、前記スキャナー部の読み取り動作に伴う処理を行うとき、前記画像処理部は、前記スキャナー部が前記可視光を照射することにより読み取った画像に蛍光情報を合成し、前記プリンター部は、合成された画像を印刷することを特徴とする。
本発明の画像形成プログラムは、スキャナー部により、画像を読み取る工程と、ＵＶライトにより、認証情報を含む蛍光情報を発光させる工程と、認証管理部により、ログイン時に必要な前記認証情報を管理する工程と、画像処理部により、前記スキャナー部が可視光を照射することにより読み取った画像に対しての画像処理と前記画像に含まれる蛍光情報の検出とを行う工程と、システム制御部により、前記認証管理部が、前記検出した前記蛍光情報に含まれる認証情報と管理している前記認証情報との一致を確認した場合に限り、前記スキャナー部の読み取り動作に伴う処理を実行させる工程と、プリンター部により、印刷を行う工程とを画像形成装置を制御するコンピューターに実行させ、前記画像処理部が前記蛍光情報に認証情報が含まれていると判断した場合、前記スキャナー部の読み取り動作に伴う処理を行うとき、前記画像処理部は、前記スキャナー部が読み取った画像に特定のウォーターマークを合成し、前記プリンター部は、合成された画像を印刷し、前記画像処理部が前記蛍光情報に認証情報が含まれていないと判断した場合、前記スキャナー部の読み取り動作に伴う処理を行うとき、前記画像処理部は、前記スキャナー部が前記可視光を照射することにより読み取った画像に蛍光情報を合成し、前記プリンター部は、合成された画像を印刷することを特徴とする。
本発明の画像形成装置及び画像形成プログラムでは、システム制御部により、画像処理部がスキャナー部で読み取られた画像に含まれる蛍光情報を検出した場合、パネル部に対してセキュリティーコードの入力を促す内容を表示させ、認証管理部がパネル部を介して入力されたセキュリティーコードと管理しているセキュリティーコードとの一致を確認した場合に限り、スキャナー部の読み取り動作に伴う処理を実行させる。
これにより、機密性の高い印刷物に蛍光情報を付与することで、機密性の高い印刷物の取り扱いの権限を有しているユーザーを識別できる。
【発明の効果】
【００１１】
本発明の画像形成装置及び画像形成プログラムによれば、機密性の高い印刷物の取り扱いの権限を有しているユーザーを識別できるので、機密性の高い印刷物に対しての情報漏洩のセキュリティーを低下させることなく、機密性の高い印刷物の取り扱いの権限を有しているユーザーに限り、スキャナー部の読み取り動作に伴う処理を実行させることができる。
【図面の簡単な説明】
【００１２】
【図１】本発明の画像形成システムの一実施形態を説明するための図である。
【図２】図１のＭＦＰの内部構成の一例を示す図である。
【図３】図２のスキャナー部が読み取る用紙の一例について説明するものであって、図３（ａ）はウォーターマークと蛍光情報とが付されている用紙を示し、図３（ｂ）はウォーターマークとユーザーＩＤを含む蛍光情報とが付されている用紙を示す図である。
【図４】図１のＭＦＰによる画像形成方法を説明するためのフローチャートである。
【発明を実施するための形態】
【００１３】
以下、本発明の画像形成装置の一実施形態を、図１〜図４を参照しながら説明する。なお、以下の説明においての画像形成装置の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１４】
まず、図１に示すように、ＭＦＰ１００は、ＬＡＮ（Ｌｏｃａｌ  Ａｒｅａ  Ｎｅｔｗｏｒｋ）などのネットワーク３００に接続されている。なお、図１では、複数のＭＦＰ１００がネットワーク３００に接続されている場合を示しているが、１台のＭＦＰ１００がネットワーク３００に接続されていてもよい。
【００１５】
また、ＭＦＰ１００は、ＰＣ（Ｐｅｒｓｏｎａｌ  Ｃｏｍｐｕｔｅｒ）などのユーザー端末２００ａ、２００ｂに接続されている。ユーザー端末２００ａは、たとえばシステム管理者が使用する。また、ユーザー端末２００ｂは、社員などが使用する。なお、本実施形態でのＭＦＰ１００は、プライベート印刷も可能となっている。すなわち、たとえばユーザー端末２００ａ、２００ｂ側からいずれかのＭＦＰ１００に対し、予め印刷ジョブを認証情報であるユーザーＩＤ及びパスワードを用いて登録しておき、ＭＦＰ１００側で登録したユーザーＩＤ及びパスワードの入力を受け付け、入力されたユーザーＩＤ及びパスワードと登録されているユーザーＩＤ及びパスワードとを照合することでログイン処理で必要となる認証を経ると、選択した印刷ジョブの印刷処理が実行される。また、印刷ジョブの登録や認証においては、パスワードのみの入力であってもよい。
【００１６】
次に、図２を参照し、ＭＦＰ１００の構成の一例について説明する。ＭＦＰ１００は、スキャナー部１０１、ＵＶ（Ｕｌｔｒａ  Ｖｉｏｌｅｔ）ライト１０２、プリンター部１０３、ＦＡＸ部１０４、Ｉ／Ｆ（インターフェース）１０５、パネル部１０６及びＨＤＤ１０７の動作を制御する制御部１１０を備えている。
【００１７】
スキャナー部１０１は、イメージセンサ（図示省略）によって読み取られる（このとき、用紙４００は、図示しないＬＥＤ（Ｌｉｇｈｔ  Ｅｍｉｔｔｉｎｇ  Ｄｉｏｄｅ）ランプ等の可視光ランプにより可視光で照射される。）、後述の用紙４００上の画像をデジタルの画像データに変換し、制御部１１０に入力するデバイスである。また、スキャナー部１０１は、用紙４００上に後述のウォーターマーク４０１が付されている場合、そのウォーターマーク４０１の画像をデジタルの画像データに変換し、制御部１１０に入力する。また、スキャナー部１０１は、用紙４００上に後述の蛍光情報４０２が付されている場合、ＵＶライト１０２による紫外線（紫外光）の照射で発光する蛍光情報４０２の画像をデジタルの画像データに変換し、制御部１１０に入力する。ＵＶライト１０２は、スキャナー部１０１のイメージセンサの読み取り動作に同期して移動し、用紙４００上に紫外線を照射する。なお、ＵＶライト１０２は、スキャナー部１０１のイメージセンサと一体に設けてもよいし、スキャナー部１０１のイメージセンサと別体であってもよい。
【００１８】
プリンター部１０３は、制御部１１０から出力される印刷データに基づき、図示しない用紙上に画像を印刷するデバイスである。ＦＡＸ部１０４は、制御部１１０から出力されるデータを、電話回線を通じ相手方となるファクシミリへと送信し、また、相手方ファクシミリからのデータを受信して制御部１１０に入力するデバイスである。
【００１９】
Ｉ／Ｆ１０５は、ネットワーク３００を介し、他のＭＦＰ１００やユーザー端末２００ａ、２００ｂなどとの通信を受け持つ。なお、Ｉ／Ｆ１０５は、図示しないコンテンツサーバーやウェブサーバーなどとの通信を受け持ってもよい。パネル部１０６は、ＭＦＰ１００の印刷機能、コピー機能、ＦＡＸ機能、ネットワーク経由でのデータ送受信機能や、各種設定のための表示を行うタッチパネルなどのデバイスである。また、パネル部１０６は、ログイン処理で必要となる認証情報であるユーザーＩＤ及びパスワードの入力を促す内容を表示する。また、パネル部１０６は、詳細については後述するが、認証情報とは異なるセキュリティーコードの入力を促す内容を表示する。
【００２０】
ＨＤＤ１０７は、ＭＦＰ１００の種々の機能を提供するためのアプリケーションプログラムなどを記憶している記憶デバイスである。また、ＨＤＤ１０７は、たとえばユーザー端末２００ａ、２００ｂ側から登録された印刷ジョブを記憶するユーザーボックスを有している。なお、後述の画像形成プログラムは、アプリケーションプログラムの一つである。
【００２１】
制御部１１０は、アプリケーションプログラム、画像形成プログラム、および制御プログラムなどを実行してＭＦＰ１００全体の動作を制御するプロセッサーである。制御部１１０は、スキャナー制御部１１１、ＵＶライト制御部１１２、プリンター制御部１１３、ＦＡＸ（Ｆａｃｓｉｍｉｌｅ）制御部１１４、通信制御部１１５、ＲＡＭ（Ｒａｎｄｏｍ  Ａｃｃｅｓｓ  Ｍｅｍｏｒｙ）１１６、ＲＯＭ（Ｒｅａｄ−Ｏｎｌｙ  Ｍｅｍｏｒｙ）１１７、画像処理部１１８、認証管理部１１９、パネル操作制御部１２０、ＨＤＤ制御部１２１、システム制御部１２２を備えている。また、これらは、データバス１２３に接続されている。
【００２２】
スキャナー制御部１１１は、スキャナー部１０１の読み取り動作を制御する。ＵＶライト制御部１１２は、ＵＶライト１０２の紫外線の照射動作を制御する。プリンター制御部１１３は、プリンター部１０３の印刷動作を制御する。ＦＡＸ制御部１１４は、ＦＡＸ部１０４によるデータの送受信動作を制御する。通信制御部１１５は、Ｉ／Ｆ１０５を介し、ネットワーク３００経由でのデータなどの送受信の制御を行う。ＲＡＭ１１６は、プログラムを実行するためのワークメモリーである。また、ＲＡＭ１１６は、画像処理部１１８によって画像処理された印刷データを記憶する。ＲＯＭ１１７には、各部の動作チェックなどを行う制御プログラムが記憶されている。
【００２３】
画像処理部１１８は、スキャナー部１０１によって読み取られた画像データに対する画像処理（ラスタライズ）を行う。また、画像処理部１１８は、ＨＤＤ１０７のユーザーボックスに登録された印刷ジョブに対する画像処理（ラスタライズ）を行う。なお、システム制御部１２２は、画像処理部１１８が画像処理した印刷データを、一旦、ＲＡＭ１１６に記憶させる。また、画像処理部１１８は、スキャナー部１０１が読み取った後述の用紙４００上の画像の輝度の違いから、蛍光情報４０２を検出し、システム制御部１２２に通知する。ちなみに、蛍光情報４０２は、印刷文字及びウォーターマーク４０１に比べて輝度が高いため、識別は容易である。なお、蛍光情報４０２であるかどうかの識別は、予め一定のレベルを設定しておいてもよい。この場合、画像処理部１１８は、スキャナー部１０１が読み取った画像の輝度が一定のレベルを超えているとき、蛍光情報４０２であると識別できる。ここで、「一定のレベル」は、用紙４００の地の輝度としてもよい。これは、用紙に蛍光剤が含まれていることがあるため、用紙４００の地の輝度を蛍光情報４０２と誤認識しないようにするためである。
【００２４】
認証管理部１１９は、登録済みの認証情報とセキュリティーコードとを管理する。また、認証管理部１１９は、ログイン時において、パネル部１０６を介し入力される認証情報が登録済みの認証情報と一致するかどうかを確認する。また、認証管理部１１９は、用紙４００のコピー時又は読み取り時において、パネル部１０６を介し入力されるセキュリティーコードが登録済みのセキュリティーコードと一致するかどうかを確認する。ここで、認証情報は、たとえばＨＤＤ１０７のユーザーボックスに印刷ジョブを登録する際に使用したユーザーＩＤ及びパスワードを含む。なお、認証情報は、パスワードのみであってもよい。また、セキュリティーコードは、機密性の高い印刷物の取り扱いの権限を有しているユーザーのみが知り得るものであり、認証情報に紐付けられている。また、セキュリティーコードは、たとえばシステム管理者が発行してもよい。この場合、システム管理者が機密性の高い印刷物毎にセキュリティーコードを発行してもよいし、機密性の高い印刷物の取り扱いの権限を有しているユーザーに対して発行してもよい。
【００２５】
パネル操作制御部１２０は、パネル部１０６の表示動作を制御する。また、パネル操作制御部１２０は、パネル部１０６を介し、印刷、コピー、ＦＡＸ、ネットワーク３００経由でのデータ送受信などの開始、認証情報の入力、セキュリティーコードの入力などを受け付ける。ＨＤＤ制御部１２１は、ＨＤＤ１０７に対するデータの読み出し及び書き込みなどを制御する。
【００２６】
システム制御部１２２は、各部の連携動作などを制御する。また、システム制御部１２２は、スキャナー部１０１によって読み取られた画像に後述の蛍光情報４０２が含まれている場合、パネル操作制御部１２０に対し、セキュリティーコードの入力を受け付けさせる。
【００２７】
次に、図３を参照し、スキャナー部１０１のイメージセンサが読み取る用紙の一例について説明する。まず、図３（ａ）に示す用紙４００には、図示していないが、印刷データに基づいた文字や画像などが印刷されている。また、用紙４００には、ウォーターマーク４０１と蛍光情報４０２とが付されている。ウォーターマーク４０１は、たとえば機密文書とした文字で表され、印刷データに基づいた文字や画像などの判別に邪魔にならない程度に薄く印刷されている。なお、ウォーターマーク４０１は文字に限らず、ロゴマークであってもよい。蛍光情報４０２は、たとえば機密文書とした文字で表され、蛍光インクを用いて印刷されている。なお、蛍光情報４０２は、文字に限らず、ロゴマークであってもよい。蛍光情報４０２は、通常の光では視認できないが、ＵＶライト１０２の紫外線の照射により、発光する。また、ウォーターマーク４０１及び／又は蛍光情報４０２の付与位置は、特に限定されるものではない。つまり、用紙４００の四隅であってもよいし、用紙４００左右上下であってもよい。また、ウォーターマーク４０１及び／又は蛍光情報４０２のサイズについても、特に限定されるものではない。特に、蛍光情報４０２については、ＵＶライト１０２による発光が確認できるサイズであればよい。
【００２８】
また、蛍光情報４０２としては、図３（ｂ）に示すように、ログイン時に必要なユーザーＩＤを示す認証情報を含むものであってもよい。ここで、蛍光情報４０２に含まれるユーザーＩＤは、機密性の高い印刷物の取り扱いの権限を有しているユーザーの認証情報である。このように、蛍光情報４０２にユーザーＩＤを含ませることで、ログイン処理で受け付けた認証情報のユーザーＩＤと一致する場合、セキュリティーコードの入力処理を省くことができる。なお、この場合のウォーターマーク４０１及び／又は蛍光情報４０２の付与位置及びサイズは、上記同様に、特に限定されるものではない。ただし、蛍光情報４０２については、ユーザーＩＤが確認できるサイズであればよい。
【００２９】
次に、図４を参照し、ＭＦＰ１００の画像形成方法について説明する。なお、以下では、用紙４００のコピーが設定された場合として説明する。
【００３０】
（ステップＳ１０１）
まず、システム制御部１２２は、ログイン処理が完了したかどうかを判断する。この場合、システム制御部１２２は、認証管理部１１９がパネル部１０６を介して入力されたユーザーＩＤ及びパスワードと、既に管理している認証情報との一致を確認していなければログイン処理が完了していないと判断する（ステップＳ１０１：Ｎｏ）。
これに対し、システム制御部１２２は、認証管理部１１９がパネル部１０６を介して入力されたユーザーＩＤ及びパスワードと、既に管理している認証情報との一致を確認すれば、ログイン処理が完了したと判断し（ステップＳ１０１：Ｙｅｓ）、ステップＳ１０２に移行する。
なお、認証管理部１１９がパネル部１０６を介して入力されたユーザーＩＤ及びパスワードと、既に管理している認証情報とが不一致であると確認した場合、システム制御部１２２がパネル部１０６に不一致であるエラーを表示させてもよい。
【００３１】
（ステップＳ１０２）
システム制御部１２２は、コピーが設定されたかどうかを判断する。
この場合、システム制御部１２２は、パネル操作制御部１２０からのパネル部１０６を介してコピーが設定されたことを示す通知が無ければコピーが設定されていないと判断する（ステップＳ１０２：Ｎｏ）。
これに対し、システム制御部１２２は、パネル操作制御部１２０からのパネル部１０６を介してコピーが設定されたことを示す通知が有ればコピーが設定されたと判断し（ステップＳ１０２：Ｙｅｓ）、ステップＳ１０３に移行する。
【００３２】
（ステップＳ１０３）
システム制御部１２２は、蛍光情報４０２が検出されたかどうかを判断する。
この場合、システム制御部１２２は、スキャナー制御部１１１に対し、スキャナー部１０１による用紙４００への紫外線の照射と用紙４００の蛍光情報４０２の読み取りを指示する。システム制御部１２２は、画像処理部１１８からの蛍光情報４０２を検出したことを示す通知が無ければ蛍光情報４０２が検出されないと判断し（ステップＳ１０３：Ｎｏ）、ステップＳ１０４に移行する。
これに対し、システム制御部１２２は、画像処理部１１８からの蛍光情報４０２を検出したことを示す通知が有れば蛍光情報４０２が検出されたと判断し（ステップＳ１０３：Ｙｅｓ）、ステップＳ１０５に移行する。
【００３３】
（ステップＳ１０４）
システム制御部１２２は、コピー処理を実行させる。
この場合、システム制御部１２２は、スキャナー制御部１１１に対し、スキャナー部１０１による用紙４００への可視光の照射と用紙４００の画像の読み取りを指示する。また、システム制御部１２２は、画像処理部１１８に対し、スキャナー部１０１が読み取った画像に対する画像処理を指示する。また、システム制御部１２２は、プリンター制御部１１３に対し、プリンター部１０３による、画像処理部１１８が処理した印刷データに基づく印刷を指示する。
【００３４】
（ステップＳ１０５）
システム制御部１２２は、パネル操作制御部１２０に対し、セキュリティーコードを受け付けさせる。
この場合、システム制御部１２２は、パネル操作制御部１２０に対し、パネル部１０６にセキュリティーコードの入力を促す内容の表示を指示する。
【００３５】
（ステップＳ１０６）
システム制御部１２２は、セキュリティーコードの認証ができたかどうかを判断する。
この場合、システム制御部１２２は、認証管理部１１９からの登録済みのセキュリティーコードとの一致を示す通知が無ければ認証できないと判断し（ステップＳ１０６：Ｎｏ）、ステップＳ１０７に移行する。
これに対し、システム制御部１２２は、認証管理部１１９からの登録済みのセキュリティーコードとの一致を示す通知が有れば認証できたと判断し（ステップＳ１０６：Ｙｅｓ）、ステップＳ１０８に移行する。
【００３６】
（ステップＳ１０７）
システム制御部１２２は、コピー処理を制限させる。
この場合、システム制御部１２２は、スキャナー制御部１１１、画像処理部１１８、プリンター制御部１１３に対して指示を出さず、パネル操作制御部１２０に対し、パネル部１０６にコピー処理が不可能であることを示すエラー表示を指示する。
【００３７】
（ステップＳ１０８）
システム制御部１２２は、コピー処理を実行させる。
この場合、システム制御部１２２は、スキャナー制御部１１１に対し、スキャナー部１０１による用紙４００への可視光の照射と用紙４００の画像の読み取りを指示する。また、システム制御部１２２は、画像処理部１１８に対し、スキャナー部１０１が読み取った画像に対する画像処理を指示する。また、システム制御部１２２は、プリンター制御部１１３に対し、プリンター部１０３による、画像処理部１１８が処理した印刷データに基づく印刷を指示する。
【００３８】
（ステップＳ１０９）
システム制御部１２２は、コピー処理が完了したかどうかを判断する。
この場合、システム制御部１２２は、スキャナー制御部１１１からの画像の読み取りの終了を示す通知と、画像処理部１１８からの画像処理の終了を示す通知と、プリンター制御部１１３からの印刷の終了を示す通知とが無ければ、コピー処理が完了していないと判断する（ステップＳ１０９：Ｎｏ）。
これに対し、システム制御部１２２は、スキャナー制御部１１１からの画像の読み取りの終了を示す通知と、画像処理部１１８からの画像処理の終了を示す通知と、プリンター制御部１１３からの印刷の終了を示す通知とが有れば、コピー処理が完了したと判断し（ステップＳ１０９：Ｙｅｓ）、処理を終了する。
【００３９】
このように、本実施形態では、システム制御部１２２により、画像処理部１１８がスキャナー部１０１で読み取られた画像に含まれる蛍光情報４０２を検出した場合、パネル部１０６に対してセキュリティーコードの入力を促す内容を表示させ、認証管理部１１９がパネル部１０６を介して入力されたセキュリティーコードと管理しているセキュリティーコードとの一致を確認した場合に限り、スキャナー部１０１の読み取り動作を実行させる。これにより、機密性の高い印刷物に蛍光情報４０２を付与することで、機密性の高い印刷物の取り扱いの権限を有しているユーザーを識別でき、機密性の高い印刷物に対しての情報漏洩のセキュリティーを低下させることなく、機密性の高い印刷物の取り扱いの権限を有しているユーザーに限り、スキャナー部の読み取り動作に伴う処理を実行させることができる。
【００４０】
また、本実施形態では、システム制御部１２２により、認証管理部１１９が、画像処理部１１８で検出された蛍光情報４０２に含まれるユーザーＩＤ（認証情報）と認証管理部１１９で管理しているユーザーＩＤ（認証情報）との一致を確認した場合に限り、スキャナー部１０１の読み取り動作を実行させる。この場合には、ログイン処理で受け付けた認証情報のユーザーＩＤと、画像処理部１１８が検出した蛍光情報４０２に含まれるユーザーＩＤとが一致する場合に限り、セキュリティーコードの入力処理を省いてスキャナー部１０１の読み取り動作に伴う処理を実行させることができる。
【００４１】
なお、図４のステップＳ１０３において、ユーザーＩＤを含む蛍光情報４０２が検出された場合、ステップＳ１０６において、登録済みのセキュリティーコードに代えて検出された蛍光情報４０２に含まれるユーザーＩＤを用いてもよい。ここで、画像処理部１１８は、蛍光情報４０２にユーザーＩＤであることを示す文字列（図３（ｂ）の例では「ユーザーＩＤ」）を検出した場合、蛍光情報４０２にユーザーＩＤが含まれていると判断する。
【００４２】
また、図３（ａ）に示す用紙４００において、ウォーターマーク４０１が付されていなくてもよい。この場合、蛍光情報４０２をウォーターマークとして印刷することができる。具体的には、図４のステップ１０３において、システム制御部１２２は、画像処理部１１８に対し、検出された蛍光情報４０２に対する画像処理を指示する。画像処理部１１８は、蛍光情報４０２に対する画像処理（ラスタライズ及び色反転処理）を行う。ステップＳ１０８において、システム制御部１２２は、画像処理部１１８に対し、スキャナー部１０１が読み取った画像に対する画像処理を指示する。次いで、システム制御部１２２は、画像処理部１１８に対し、ステップＳ１０５で画像処理された画像にステップＳ１０３で画像処理された蛍光情報４０２に基づく画像を合成して印刷データを生成するよう指示する。そして、システム制御部１２２は、プリンター制御部１１３に対し、プリンター部１０３による、画像処理部１１８が処理した印刷データに基づく印刷を指示する。
【００４３】
また、図３（ｂ）に示す用紙４００において、ウォーターマーク４０１が付されていなくてもよい。この場合、予め登録されているウォーターマークを印刷することができる。具体的には、図４のステップ１０３において、ユーザーＩＤを含む蛍光情報４０２が検出された場合、ステップＳ１０８において、システム制御部１２２は、画像処理部１１８に対し、スキャナー部１０１が読み取った画像に対する画像処理を指示する。次いで、システム制御部１２２は、画像処理部１１８に対し、ステップＳ１０５で画像処理された画像に登録されているウォーターマークを合成して印刷データを生成するよう指示する。そして、システム制御部１２２は、プリンター制御部１１３に対し、プリンター部１０３による、画像処理部１１８が処理した印刷データに基づく印刷を指示する。
【００４４】
また、図４のステップＳ１０３において、システム制御部１２２は、画像処理部１１８に対し、検出された蛍光情報４０２にユーザーＩＤが含まれるか否かの判断を指示してもよい。蛍光情報４０２にユーザーＩＤが含まれていれば、ステップＳ１０８において、上述と同様にして、スキャナー部１０１が読み取った画像に予め登録されているウォーターマークを合成して印刷してもよい。蛍光情報４０２にユーザーＩＤが含まれていなければ、ステップＳ１０８において、上述と同様にして、スキャナー部１０１が読み取った画像に蛍光情報４０２を合成して印刷してもよい。
【符号の説明】
【００４５】
１００  ＭＦＰ
１０１  スキャナー部
１０２  ＵＶライト
１０３  プリンター部
１０４  ＦＡＸ部
１０５  Ｉ／Ｆ
１０６  パネル部
１０７  ＨＤＤ
１１０  制御部
１１１  スキャナー制御部
１１２  ＵＶライト制御部
１１３  プリンター制御部
１１４  ＦＡＸ制御部
１１５  通信制御部
１１６  ＲＡＭ
１１７  ＲＯＭ
１１８  画像処理部
１１９  認証管理部
１２０  パネル操作制御部
１２１  ＨＤＤ制御部
１２２  システム制御部
１２３  データバス
２００ａ、２００ｂ  ユーザー端末
３００  ネットワーク
４００  用紙
４０１  ウォーターマーク
４０２  蛍光情報
【図１】
0006451682.tif 000002
【図２】
0006451682.tif 000003
【図３】
0006451682.tif 000004
【図４】
0006451682.tif 000005